(57)【要約】【課題】施工に手間がかからずかつ施工時の事故をできるだけ防止し、かつ密着性断熱性に優れたリフォーム用窓枠の取付構造を提供する。【解決手段】既存の窓枠のフレーム枠３を残存し、旧窓枠の中に新窓枠９を取付けるリフォーム用窓枠の取付構造において、既存のフレーム枠３を覆い、かつ、ビスにて固定された第一の額縁５と、新窓枠９の外周部に配置された第二の額縁１１とを設け、第一の額縁５の内側上部、内側下部、及び内側側面に、屋外側から屋内側に向かう第一の翼片部８を設け、第二の額縁１１の、第一の翼片部５に対応する位置に、屋内側から屋外側に向かう第二の翼片部１３を設け、第二の翼片部１３を第一の翼片部８に挿入して、新窓枠９を固定することにより新窓枠９が設置される。【選択図】図８ａ
2010112113.tif 000002
【特許請求の範囲】
【請求項１】
既存の窓枠のフレーム枠を残存し、旧窓枠の中に新窓枠を取付けるリフォーム用窓枠の取付構造において、
前記既存のフレーム枠を覆い、かつ、ビス又は釘にて固定された第一の額縁と、
前記新窓枠の外周部に配置された第二の額縁とを設け、
前記第一の額縁の内側上部、内側下部、及び内側側面のうちの少なくとも１つに、屋外側から屋内側に向かう第一の翼片部を設け、
前記第二の額縁の、前記第一の翼片部に対応する位置に、屋内側から屋外側に向かう第二の翼片部を設け、
前記第二の翼片部を前記第一の翼片部に挿入して、前記新窓枠を固定することにより前記新窓枠が設置されることを特徴とするリフォーム用窓枠取付構造。
【請求項２】
既存の窓枠のフレーム枠を残存し、旧窓枠の中に新窓枠を取り付けるリフォーム用窓枠の取付構造において、
前記既存のフレーム枠を覆い、かつ、ビス又は釘にて固定された第一の額縁と、
前記新窓枠の外周部に配置された第二の額縁とを設け、
前記第一の額縁の内側上部、内側下部、及び内側側面のうちの少なくとも１つに、屋内側から屋外側に向かう第一の翼片部を設け、
前記第二の額縁の、前記第一の翼片部に対応する位置に、屋外側から屋内側に向かう第二の翼片部を設け、
前記第二の翼片部を前記第一の翼片部に挿入して、前記新窓枠を固定することにより前記新窓枠が設置されることを特徴とするリフォーム用窓枠取付構造。
【請求項３】
前記第二の額縁は、第二の額縁本体及び第二の額縁翼片部とを含み、前記第二の額縁本体は前記新窓枠の外周部に固定され、
前記第二の額縁翼片部は、前記第一の額縁の翼片部と対向しかつ前記第一の翼片部に挿入固定される前記第二の翼片部を含み、
前記第二の額縁翼片部は第二の額縁本体の外周部に固定されていることを特徴とする請求項１または２に記載のリフォーム用窓枠取付構造。
【請求項４】
前記第二の額縁に前記新窓枠の外周面と密着する当接面を設け、かつ前記第一の額縁に当設する補強部を設け、
前記第二の翼片部に、前記第一の額縁の内周面に密着する当接面を設け、
前記第二の額縁は新窓枠に固定される、請求項１から３までのいずれかに記載のリフォーム用窓枠取付構造。
【請求項５】
前記第二の額縁翼片部は、前記新窓枠を構成する各辺にそれぞれが対応する複数の互いに固着されていない棒状体で用意され、
前記新窓枠を構成する各辺に対応する前記第二の額縁本体の各片に、前記第二の額縁翼片部のそれぞれが固定されることにより、前記第二の額縁が額縁状に形成される請求項３に記載のリフォーム用窓枠取付構造。
【請求項６】
前記第一の額縁および前記第二の額縁翼片部はアルミニウム製であることを特徴とする請求項３または５に記載のリフォーム用窓枠取付構造。
【請求項７】
前記第二の額縁は樹脂製であることを特徴とした請求項１から６までのいずれかに記載のリフォーム用窓枠取付構造。
【請求項８】
前記第一の額縁の外側に化粧枠体を備えることを特徴とした請求項１から７までのいずれかに記載のリフォーム用窓枠取付構造。
【請求項９】
前記第一の額縁のうちの下部と、前記既存のフレーム枠との間の空隙に補強部材を設けることを特徴とする請求項１から８までのいずれかに記載のリフォーム用窓枠取付構造。
【請求項１０】
前記第一の額縁の翼片部及び前記第二の額縁の翼片部は、それぞれ、少なくとも前記第一の額縁の翼片部及び前記第二の額縁の翼片部が互いに接合する表層部に、凹凸を有することを特徴とする請求項１から９までのいずれかに記載のリフォーム用窓枠取付構造。
【発明の詳細な説明】
【技術分野】
【０００１】
本発明は、窓のリフォームに係り、新設窓枠の取付構造に関する。
【背景技術】
【０００２】
従来、旧窓枠の老朽化、家屋のリフォーム等の場合に伴って旧窓枠のフレーム枠を除去することなく、この旧窓枠のフレーム枠を利用して新窓枠を設置することがなされてきた。また近年、断熱性を高め、かつ、結露を防止するため新窓枠は樹脂製サッシが使用されている。その例として、既設のアルミサッシのフレーム材に新設の樹脂サッシを装着配置する取付構造が特許文献１に記載されている
【特許文献１】特開２００１−２５４５７２
【発明の開示】
【発明が解決しようとする課題】
【０００３】
リフォーム工事は、作業効率を向上させ、かつ、密着性を高める必要があるが、施工効率は必ずしも高いとは言えない。
例えば特許文献１においては、その図４に、取り付け時の水平断面の構造を例示する。図４及び段落［００２２］、［００２３］によると、樹脂サッシを組み込み時には、最奥部の外周にある取付フィンを窓開口部の駆体（柱、窓台、梁材など）に当接させ、適宜の手段、例えば木ビスによって取付フィンを固定する。両側面、下面、上面、いずれも同じように行う。次いで、額縁を嵌め込んで、これを樹脂サッシと外枠材（露出面）に固定する。
【０００４】
しかしながら、特許文献１の施工手順によると、樹脂サッシは、施工初期、取付フィンのみで固定されるので、この固定作業のとき、樹脂サッシを手で支える必要があり、支持する力が必要である。また人手が必要な場合もあり、手間もかかり、力が抜けると、所定位置に固定できなくなる可能性があり、また落下事故を引き起す可能性もある。
【０００５】
また、取付フィンにて樹脂サッシを仮固定した後でも、樹脂サッシの落下を防止するため、手で支える必要がある。その後、樹脂サッシと既存フレームの間に額縁を嵌めこむが、その時も樹脂サッシを手で支える必要があるので、人手や、手間がかかり、かつ嵌め込みがうまく出来ない可能性がある。
【０００６】
また、上記手順の不具合を防止するため、額縁を先に固定することが考えられるが、その場合は樹脂サッシがうまく挿入固定できない可能性がある。さらにその後、ビス等にて額縁と樹脂サッシを固定するが、これも手間がかかる。
【０００７】
本発明は、このような課題に鑑み、施工に手間がかからず、かつ施工時の事故をできるだけ防止し、かつ密着性断熱性に優れたリフォーム用窓枠の取付構造を提供することを目的とする。
【課題を解決するための手段】
【０００８】
本発明は、上述の課題を解決するために、既存の窓枠のフレーム枠を残存し、旧窓枠の中に新窓枠を取付けるリフォーム用窓枠の取付構造において、既存のフレーム枠を覆い、かつ、ビス又は釘にて固定された第一の額縁と、新窓枠の外周部に配置された第二の額縁とを設け、第一の額縁の内側上部、内側下部、及び内側側面のうちの少なくとも１つに、屋外側から屋内側に向かう第一の翼片部を設け、第二の額縁の、第一の翼片部に対応する位置に、屋内側から屋外側に向かう第二の翼片部を設け、第二の翼片部を第一の翼片部に挿入して、新窓枠を固定することにより、新窓枠が設置されることを特徴とする。
【０００９】
また、本発明は、上述の課題を解決するために、既存の窓枠のフレーム枠を残存し、旧窓枠の中に新窓枠を取り付けるリフォーム用窓枠の取付構造において、既存のフレーム枠を覆い、かつ、ビス又は釘にて固定された第一の額縁と、新窓枠の外周部に配置された第二の額縁とを設け、第一の額縁の内側上部、内側下部、及び内側側面のうちの少なくとも１つに、屋内側から屋外側に向かう第一の翼片部を設け、第二の額縁の、第一の翼片部に対応する位置に、屋外側から屋内側に向かう第二の翼片部を設け、第二の翼片部を第一の翼片部に挿入して、新窓枠を固定することにより、新窓枠が設置されることを特徴とする。
【００１０】
本発明においては、第二の額縁は、第二の額縁本体及び第二の額縁翼片部とを含み、第二の額縁本体は新窓枠の外周部に固定され、第二の額縁翼片部は、第一の額縁の翼片部と対向しかつ第一の翼片部に挿入固定される第二の翼片部を含み、第二の額縁翼片部は第二の額縁本体の外周部に固定されていてもよい。
【００１１】
さらに、第二の額縁に新窓枠の外周面と密着する当接面を設け、かつ第一の額縁に当設する補強部を設け、第二の翼片部に、第一の額縁の内周面に密着する当接面を設け、第二の額縁は新窓枠に固定されることが好ましい。
【００１２】
本発明においては、第二の額縁翼片部は、新窓枠を構成する各辺にそれぞれが対応する複数の互いに固着されていない棒状体で用意され、新窓枠を構成する各辺に対応する第二の額縁本体の各片に、第二の額縁翼片部のそれぞれが固定されることにより、第二の額縁が額縁状に形成されてもよい。
【００１３】
なお、第一の額縁および第二の額縁翼片部はアルミニウム製であることが好ましい。そして、第二の額縁は樹脂製であることが好ましい。
また、第一の額縁の外側に化粧枠体を備えてもよい。なお、第一の額縁のうちの下部と、既存のフレーム枠との間の空隙に補強部材を設けてもよい。
【００１４】
さらに、第一の額縁の翼片部及び第二の額縁の翼片部は、それぞれ、少なくとも第一の額縁の翼片部及び第二の額縁の翼片部が互いに接合する表層部に、凹凸を有してもよい。
【発明の効果】
【００１５】
本発明によれば、手間もかからず、人手及び力もかからず、簡単に新窓枠を設置することができる。本発明の翼片部に挿入する形式のリフォーム用窓枠の取付構造においては、翼片部を持つ第一の額縁と、当該翼片部に挿入させる第二の額縁の翼片部は当接できるので、密着性も良好である。
【発明を実施するための最良の形態】
【００１６】
次に添付図面を参照して、本発明によるリフォーム用窓枠取付構造の実施例を詳細に説明する。図１〜図３は、それぞれ、本発明に係る新窓枠取付構造の第１、第２、及び第３の実施形態を示す斜視図である。
【００１７】
図１は、左より第一の額縁５、既存フレーム３、新窓枠９および第二の額縁１１を示す。第１の実施形態では、既存の窓枠のフレーム枠３を残存し、旧窓枠の中に新窓枠９を取付けるリフォーム用窓枠の取付構造において、既存のフレーム枠３を覆い、かつ、ビス又は釘にて固定された第一の額縁５と、新窓枠９の外周部に配置された第二の額縁１１とを設け、第一の額縁５の内側上部、内側下部、及び内側側面に、屋外側から屋内側に向かう第一の翼片部を設け、第二の額縁１１の、第一の翼片部に対応する位置に、屋内側から屋外側に向かう第二の翼片部を設け、第二の翼片部を第一の翼片部に挿入して、新窓枠９を固定することにより新窓枠９が設置される。
【００１８】
図２は、左より第一の額縁５、既存フレーム３、新窓枠９、第二の額縁本体１１−１及び第二の額縁翼片部１１−２を示し、第二の額縁翼片部１１−２は額縁形状を形成している。第２の実施形態では、第二の額縁は、第二の額縁本体１１−１及び第二の額縁翼片部１１−２とを含み、第二の額縁本体１１−１は新窓枠９の外周部に固定され、第二の額縁翼片部１１−２は、第一の額縁の翼片部と対向し、かつ第一の翼片部に挿入固定される第二の翼片部を含み、第二の額縁翼片部１１−２は第二の額縁本体１１−１の外周部に固定されている。
【００１９】
図３は、左より第一の額縁５、既存フレーム３、新窓枠９、第二の額縁本体１１−１及び第二の額縁翼片部１１−３を示し、第二の額縁翼片部１１−３は棒状であり、第二の額縁本体１１−１に固定後、第二の額縁翼片部１１−３は額縁状を形成する。第３の実施形態では、第二の額縁翼片部１１−３は、新窓枠９を構成する各辺にそれぞれが対応する複数の互いに固着されていない棒状体１１−３で用意され、新窓枠９を構成する各辺に対応する第二の額縁本体１１−１の各片に、第二の額縁翼片部１１−３のそれぞれが固定されることにより、第二の額縁が額縁状に形成される。
【００２０】
図４〜図９は、本発明によるリフォーム用窓枠取付構造の第１、第２、及び第３の実施形態の詳細を説明するための図であり、かつリフォーム用窓枠取付構造の設置手順も示す。図４から図９の順で施工が行なわれる。
【００２１】
図４は、既存の窓枠取付構造を示す。既存障子１とその上下方向に既存サッシ（レール）２が当設されている。既存フレーム３が家屋に固定され、室内側に既存窓枠４が設置されている。
【００２２】
図５は、既存窓枠から、既存サッシ２が嵌合された既存障子１を取り除いた状態である。既存フレーム３は残存させる。
図６は、既存フレーム３に第一の額縁５を取り付けた状態である。第一の額縁５は、既存フレーム３の室外側側面、上部、下部及び左右の側面を覆う。第一の額縁５は、既存フレーム３の室外側側面と当設し、既存フレーム３の内周部、及び既存サッシ（レール軌道部）２の一番高い部分（すなわち、レール部先端）６と当設する。
【００２３】
第一の額縁５は、既存フレーム３とビス７により固定される。別の実施形態として、溶接又は接着剤により固定されてもよい。第一の額縁５の内側上部、下部、及び左右の側面には、第二の額縁１１の翼片部１３が挿入されて新窓枠９を固定するための第一の額縁の翼片部８を設ける。
【００２４】
図７ａは、第１の実施形態における第二の額縁１１が固定された新窓枠９の構造を示す。第１の実施形態においては、第一の額縁の内側上部、内側下部、及び内側側面に、屋外側から屋内側に向かう第一の翼片部を設け、第二の額縁の、第一の翼片部に対応する位置に、屋内側から屋外側に向かう第二の翼片部を設けている。第一の額縁の内側上部、内側下部、及び内側側面のうちの少なくとも１つに、屋外側から屋内側に向かう第一の翼片部を設けてもよい。
【００２５】
第二の額縁１１は、新窓枠９の外周部に当接固定される部分２６と、第一の額縁５の翼片部８と挿入固定する第二の額縁の翼片部１３を備える。第二の額縁１１は、新窓枠にビス１２にて固定される。当接固定される部分２６は、第二の額縁１１に設けられた、新窓枠９の外周面と密着する当接面である。
【００２６】
第二の額縁１１には、さらに、第一の額縁５に当設する補強部２４が外周部に設けられている。第二の翼片部１１には、第一の額縁５の内周面に密着する当接面２８が設けられている。
【００２７】
別の実施形態では、第二の額縁１１を新窓枠に固定する方法として、ビスではなくて、接着剤を使用する接着固定又は溶接法を使用する固着なども可能である。
図７ｂに示す第３の実施形態では、第二の額縁１１は、第二の額縁本体１１−１及び第二の額縁翼片部１１−３に分けられ、第二の額縁本体は、新窓枠の外周部に当接固定される。第二の額縁翼片部は、第一の額縁の翼片部と対向し、かつ第一の額縁の翼片部に挿入固定するための翼片部を備えている。
【００２８】
第二の額縁本体１１−１と第二の額縁翼片部１１−３は、第二の額縁本体１１−１の外周部に備えられた突起部１０１ａ，１０１ｂにより、嵌合により第二の額縁本体１１−１の外周部に固定される。新窓枠９、第二の額縁本体１１−１及び第二の額縁翼片部１１−３は、ビス１２にて互いに貫通固定される。
【００２９】
第３の実施形態では、第二の額縁翼片部１１−３は、あらかじめ額縁状でなく、棒状として第二の額縁本体１１−１の各辺に固定することにより、結果的に額縁状にすることができる。さらに第２の実施形態では、新窓枠９と第二の額縁本体１１−１を予め、ビス止め、接着剤を使用しての接着固定、又は溶接法を使用しての固着を行い、その後、額縁状に形成されている第二の額縁翼片部１１−２を第二の額縁本体１１−１に挿入して、固定することができる。
【００３０】
新窓枠９の内側に新障子１０が固定される。通常、新障子１０は、新窓枠９が家屋に完全に固定された後に取り付けられる。取付時の重量を軽減し、施工性を向上させるためである。図７ａ、７ｂに示すように、新窓枠９の外周部に第二の額縁１１が固定されている。本実施形態ではビス１２でビス止めして、固定されている。第二の額縁の室外側先端部に、第一の額縁の翼片部８に挿入固定するための、第二の額縁の翼片部１３が設置されている。
【００３１】
図８ａ及び図８ｂは、新窓枠９を固定した状態を示す。図８ａおよび図８ｂは、それぞれ、第１の実施形態及び第３の実施形態を示す。
新窓枠９を固定するために、第二の額縁１１と一体化した新窓枠９を室内側から室内側にスライドさせる。そうすると、第二の額縁の翼片部１３が第一の額縁の翼片部８に挿入されて、固定される。図８ａ及び図８ｂは、第一の額縁の翼片部８と第二の額縁の翼片部１３が固定された状態を示す。挿入固定をスムーズに行うために、各翼片部先端にテーパー加工を行っても良い。さらに新窓枠９と既存窓枠４との段差を埋めるために、新窓枠取付フィン１５と既存窓枠４の間に、スペーサー１４を挟んで、ビス１６でビス止めして固定する。このようにして新窓枠９が固定される。
【００３２】
図９ａ及び図９ｂは、各化粧枠体を設置した状態を示す。図９ａおよび図９ｂは、それぞれ、第１の実施形態及び第３の実施形態を示す。新窓枠取付フィン１５と既存窓枠４の間にスペーサー１４を挟んで、ビス１６でビス止めで固定した後に、化粧枠体２０は、ビス止めで固定した状態を隠すために設けられる。
【００３３】
一方、既述のように、第一の額縁５は、既存フレーム３とビス７により固定されている。化粧カバー１９は、ビス７の姿を隠すために設けられる。さらに新窓枠９の固定を完全にするために、新窓枠９の上側から第二の額縁１１を貫通して、第一の額縁５に向ってビス１８で固定する。新窓枠９の上部及び下部の第一の額縁５との隙間にコーキング処理２１を施す。最後に新障子１０を取り付けて完成する。
【００３４】
各翼片部の構造は施工条件により適宜決められる。例えば、図１０に示す第４の実施形態では、第一の額縁５の翼片部８を室内側から室外側に配置し、さらに第二の額縁１１の翼片部１３を室外側から室内側に配置し、新窓枠９は、室外側から室内側にスライドさせることにより固定される。他の点については既述の実施形態と同じである。
【００３５】
図１０では、第一の額縁５の内側上部、内側下部、及び内側側面に、屋内側から屋外側に向かう第一の翼片部８を設け、第二の額縁１１の、第一の翼片部８に対応する位置に、屋外側から屋内側に向かう第二の翼片部１３を設けている。第一の額縁５の内側上部、内側下部、及び内側側面のうちの少なくとも１つに、屋内側から屋外側に向かう第一の翼片部を設けてもよい。
【００３６】
別の実施形態を示す図１１では、第１〜第４の実施形態において、さらに、窓枠下部の既存フレーム３と第一の額縁５の間に、補強板２２−１又は補強板２２−２を設置する。新窓枠９を更にしっかりと支えるためである。補強板は、補強板２２−１及び補強板２２−２の両方を使用してもよいし、どちらか一方を使用してもよい。これは施工条件により適宜決められる。
【００３７】
既述の実施形態において、第一の額縁の材質はアルミニウムが好適である。その他、鉄製及び樹脂製の第一の額縁も使用できる。材料の選択は施工条件等で適宜決められる。当該額縁は、各１辺が押し出し成形により製造される。その後、各片の端部を溶接等により接着し、額縁形状に形成される。
【００３８】
第１の実施形態において、第二の額縁の材質は樹脂が好適である。その他、鉄製及びアルミニウム製の第二の額縁も使用できる。材料の選択は施工条件等で適宜決められる。当該額縁は、各１辺が押し出し成形により製造される。その後、各片の端部を溶接等により接着し、額縁形状に形成される。
【００３９】
第２、第３の実施形態において、第二の額縁本体の材質は樹脂が好適である。その他、鉄製及びアルミニウム製の第二の額縁本体も使用できる。材料の選択は施工条件等で適宜決められる。当該額縁は、各１辺が押し出し成形により製造される。その後、各片の端部を溶接等により接着し、四角形状、いわゆる額縁形状に形成される。
【００４０】
第二の額縁翼片部の材質はアルミニウムが好適である。その他、鉄製及び樹脂製の第二の額縁翼片部も使用できる。材料の選択は施工条件等で適宜決められる。当該額縁は、各１辺が押し出し成形により製造される。その後、各片の端部を溶接等により接着し、額縁形状に形成される。新窓枠は樹脂製が好適に使用される。
【００４１】
上記で挙げられた樹脂製材料は、例えば塩化ビニル製、アクリル製が好適に使用される。新窓枠に取り付けられる障子については、上げ下げ窓、引き違い窓、辷り出し窓、片引き窓、開き窓、ＦＩＸ窓、内開き窓、外開き窓等の各種窓が好適に使用される。図１２に示すように、第一の額縁の翼片部８及び第二の額縁の翼片部１３については、接合を確実にするため表層部に、こまかい凹凸をつけることができる。
【００４２】
なお、既述の実施形態では、第一の額縁および第二の額縁に備えられた翼片部は、各額縁の内周部又は外周部に、各額縁の長手方向に連続的に備えられているが、別の実施形態では、翼片部は一定間隔で備えてもよい。図１３は、第３の実施形態において、第二の額縁に備えられた翼片部を示し、図１３（ａ）では、翼片部は、一定間隔で備えられているが、図１３（ｂ）では、翼片部は、額縁の外周部に、額縁の長手方向に連続的に備えられている。
【図面の簡単な説明】
【００４３】
【図１】本発明に係るリフォーム用窓枠の取付構造の第１の実施形態を示す斜視図である。
【図２】本発明に係るリフォーム用窓枠の取付構造の第２の実施形態を示す斜視図である。
【図３】本発明に係るリフォーム用窓枠の取付構造の第３の実施形態を示す斜視図である。
【図４】既存の窓枠取付構造を示す断面図である。
【図５】既存の窓枠から、既存サッシ２が当設された既存障子１を取り除いた状態を示す断面図である。
【図６】既存フレーム３に第一の額縁５を取り付けた状態を示す断面図である。
【図７ａ】第二の額縁が固定された新窓枠の構造を示す断面図である。
【図７ｂ】第二の額縁本体と第二の額縁翼片部に分かれている場合について、第二の額縁が固定された新窓枠の構造を示す断面図である。
【図８ａ】新窓枠を固定した構造を示す断面図である。
【図８ｂ】第二の額縁本体と第二の額縁翼片部に分かれている場合について、新窓枠を固定した構造を示す断面図である。
【図９ａ】化粧枠体を設置した構造を示す断面図である。
【図９ｂ】第二の額縁本体と第二の額縁翼片部に分かれている場合について、化粧枠体を設置した構造を示す断面図である。
【図１０】新窓枠を、室外側から室内側に挿入して固定した構造を示す断面図である。
【図１１】窓枠下部に補強板を設置した状態を示す断面図である。
【図１２】翼片部を拡大して示す断面図である。
【図１３】翼片部の複数の実施形態について、翼片部を拡大して示す斜視図である。
【符号の説明】
【００４４】
１  既存障子
２  既存サッシ
３  既存フレーム
４  既存窓枠
５  第一の額縁
６  レール部先端
７  ビス
８  第一の額縁の翼片部
９  新窓枠
１０  新障子
１１  第二の額縁
１１−１  第二の額縁本体
１１−２  第二の額縁翼片部（額縁状態）
１１−３  第二の額縁翼片部（棒状形態）
１２  ビス
１３  第二の額縁の翼片部
１４  スペーサー
１５  新窓枠取付フィン
１６  ビス
１８  ビス
１９  化粧カバー
２０  化粧枠体
２１  コーキング処理
２２−１  補強板
２２−２  補強板
【図１】
2010112113.tif 000003
【図２】
2010112113.tif 000004
【図３】
2010112113.tif 000005
【図４】
2010112113.tif 000006
【図５】
2010112113.tif 000007
【図６】
2010112113.tif 000008
【図７ａ】
2010112113.tif 000009
【図７ｂ】
2010112113.tif 000010
【図８ａ】
2010112113.tif 000011
【図８ｂ】
2010112113.tif 000012
【図９ａ】
2010112113.tif 000013
【図９ｂ】
2010112113.tif 000014
【図１０】
2010112113.tif 000015
【図１１】
2010112113.tif 000016
【図１２】
2010112113.tif 000017
【図１３】
2010112113.tif 000018